(57)【要約】【課題】出力条件に適した色変換プロファイルを選択する。【解決手段】カラーチャート出力時の紙種を示す紙種情報が予め定められた規則に則って埋め込まれている複数のデスティネーションプロファイルを取得し（ステップＳ２６）、当該取得された複数のデスティネーションプロファイルのそれぞれから紙種情報を抽出する（ステップＳ２７）。そして、複数のデスティネーションプロファイルから抽出されたそれぞれの紙種情報と印刷時の紙種を示す紙種情報とを比較して、取得された複数のデスティネーションプロファイルの中から予め定められたフィルタ条件に合致する一又は複数のデスティネーションプロファイルを抽出し、当該抽出された一又は複数のデスティネーションプロファイルを選択可能に表示する（ステップＳ２８）。【選択図】図９
2011223620.tif 000002
【特許請求の範囲】
【請求項１】
カラーチャート出力時の出力条件を示す第１の出力条件情報が予め定められた規則に則って埋め込まれている複数の色変換プロファイルを取得し、当該取得された複数の色変換プロファイルのそれぞれから第１の出力条件情報を抽出し、当該抽出されたそれぞれの第１の出力条件情報と印刷時の出力条件を示す第２の出力条件情報とを比較して、前記取得された複数の色変換プロファイルの中から予め定められたフィルタ条件に合致する一又は複数の色変換プロファイルを抽出し、当該抽出された一又は複数の色変換プロファイルを表示部に選択可能に表示させる制御部を備える情報処理装置。
【請求項２】
前記第１の出力条件情報は、前記カラーチャートを出力した用紙の紙種を示す紙種情報を含み、
前記第２の出力条件情報は、印刷対象用紙の紙種を示す紙種情報を含む、
請求項１に記載の情報処理装置。
【請求項３】
カラーチャート出力時の出力条件を示す第１の出力条件情報が予め定められた規則に則って埋め込まれている複数の色変換プロファイルを記憶する記憶部と、
印刷時の出力条件を示す第２の出力条件情報を含む印刷データを取得し、前記印刷データから第２の出力条件情報を抽出し、前記複数の色変換プロファイルのそれぞれから第１の出力条件情報を抽出し、前記複数の色変換プロファイルから抽出されたそれぞれの第１の出力条件情報と前記印刷データから抽出された第２の出力条件情報とを比較して、前記複数の色変換プロファイルの中から適用する色変換プロファイルを選択する制御部と、
を備える情報処理装置。
【請求項４】
前記制御部は、前記複数の色変換プロファイルから抽出されたそれぞれの第１の出力条件情報の中から、前記印刷データから抽出された第２の出力条件情報と最も近似する第１の出力条件情報を決定することにより、前記適用する色変換プロファイルを選択する、
請求項３に記載の情報処理装置。
【請求項５】
前記第１の出力条件情報は、前記カラーチャートを出力した用紙の紙種を示す紙種情報を含み、
前記第２の出力条件情報は、印刷対象用紙の紙種を示す紙種情報を含む、
請求項３又は４に記載の情報処理装置。
【請求項６】
コンピュータを、
カラーチャート出力時の出力条件を示す第１の出力条件情報が予め定められた規則に則って埋め込まれている複数の色変換プロファイルを取得し、当該取得された複数の色変換プロファイルのそれぞれから第１の出力条件情報を抽出し、当該抽出されたそれぞれの第１の出力条件情報と印刷時の出力条件を示す第２の出力条件情報とを比較して、前記取得された複数の色変換プロファイルの中から予め定められたフィルタ条件に合致する一又は複数の色変換プロファイルを抽出し、当該抽出された一又は複数の色変換プロファイルを表示部に選択可能に表示させる制御部として機能させるためのプログラム。
【請求項７】
コンピュータを、
カラーチャート出力時の出力条件を示す第１の出力条件情報が予め定められた規則に則って埋め込まれている複数の色変換プロファイルを記憶する記憶部、
印刷時の出力条件を示す第２の出力条件情報を含む印刷データを取得し、前記印刷データから第２の出力条件情報を抽出し、前記複数の色変換プロファイルのそれぞれから第１の出力条件情報を抽出し、前記複数の色変換プロファイルから抽出されたそれぞれの第１の出力条件情報と前記印刷データから抽出された第２の出力条件情報とを比較して、前記複数の色変換プロファイルの中から適用する色変換プロファイルを選択する制御部、
として機能させるためのプログラム。
【発明の詳細な説明】
【技術分野】
【０００１】
本発明は、情報処理装置及びプログラムに関する。
【背景技術】
【０００２】
一般に、ＣＭＹＫ表色系やＲＧＢ表色系は、入出力デバイスの色再現特性に依存している。例えば、同じＣＭＹＫの画像データをそのまま異なるプリンタで印刷した場合、プリンタによって異なる色で再現される。そこで、プリンタに出力する画像データに対して、目標とする色再現特性に合わせるための色変換処理を行う必要がある。この色変換処理には、従来から、ＩＣＣ（International Color Consortium）により定義された色変換プロファイルが用いられている。色変換プロファイルは、色合わせの対象となるプリンタにおいて、複数色のカラーパッチで構成されるカラーチャートを出力し、カラーチャートを測色して得られた測色データに基づいて作成される。
【０００３】
また、印刷される用紙によって色再現が異なるため、印刷データが必要とする印刷用紙の種類と印刷装置にセットされている印刷用紙の種類とを検出し、検出した用紙の種類が一致しない場合には、印刷データに含まれる色情報を、セットされている印刷用紙の種類に対応した色情報に補正する印刷制御方法が提案されている（特許文献１参照）。
【先行技術文献】
【特許文献】
【０００４】
【特許文献１】特開平１１−３１６６６９号公報
【発明の概要】
【発明が解決しようとする課題】
【０００５】
しかし、カラーチャートの用紙の紙種（紙質、紙色等）等、カラーチャート出力時の出力条件によって、色再現特性が変わってしまうという問題があった。例えば、紙種に応じた色変換処理を行おうとする場合には、使用される紙種毎にカラーチャートを出力し、測色を行って、その紙種専用の色変換プロファイルを作成し、紙種と色変換プロファイル（色変換テーブル、色変換マトリックス、色変換カーブ等）とを予め対応付けておく必要があった。また、既に色変換プロファイルが作成されている出力条件以外の出力条件のもとで印刷を行う場合には、新たな出力条件で色変換プロファイルを作成しなければならなかった。
【０００６】
本発明は上記の従来技術における問題に鑑みてなされたものであって、出力条件に適した色変換プロファイルを選択することを課題とする。
【課題を解決するための手段】
【０００７】
上記課題を解決するために、請求項１に記載の情報処理装置は、カラーチャート出力時の出力条件を示す第１の出力条件情報が予め定められた規則に則って埋め込まれている複数の色変換プロファイルを取得し、当該取得された複数の色変換プロファイルのそれぞれから第１の出力条件情報を抽出し、当該抽出されたそれぞれの第１の出力条件情報と印刷時の出力条件を示す第２の出力条件情報とを比較して、前記取得された複数の色変換プロファイルの中から予め定められたフィルタ条件に合致する一又は複数の色変換プロファイルを抽出し、当該抽出された一又は複数の色変換プロファイルを表示部に選択可能に表示させる制御部を備える。
【０００８】
請求項２に記載の発明は、請求項１に記載の情報処理装置において、前記第１の出力条件情報は、前記カラーチャートを出力した用紙の紙種を示す紙種情報を含み、前記第２の出力条件情報は、印刷対象用紙の紙種を示す紙種情報を含む。
【０００９】
請求項３に記載の情報処理装置は、カラーチャート出力時の出力条件を示す第１の出力条件情報が予め定められた規則に則って埋め込まれている複数の色変換プロファイルを記憶する記憶部と、印刷時の出力条件を示す第２の出力条件情報を含む印刷データを取得し、前記印刷データから第２の出力条件情報を抽出し、前記複数の色変換プロファイルのそれぞれから第１の出力条件情報を抽出し、前記複数の色変換プロファイルから抽出されたそれぞれの第１の出力条件情報と前記印刷データから抽出された第２の出力条件情報とを比較して、前記複数の色変換プロファイルの中から適用する色変換プロファイルを選択する制御部と、を備える。
【００１０】
請求項４に記載の発明は、請求項３に記載の情報処理装置において、前記制御部は、前記複数の色変換プロファイルから抽出されたそれぞれの第１の出力条件情報の中から、前記印刷データから抽出された第２の出力条件情報と最も近似する第１の出力条件情報を決定することにより、前記適用する色変換プロファイルを選択する。
【００１１】
請求項５に記載の発明は、請求項３又は４に記載の情報処理装置において、前記第１の出力条件情報は、前記カラーチャートを出力した用紙の紙種を示す紙種情報を含み、前記第２の出力条件情報は、印刷対象用紙の紙種を示す紙種情報を含む。
【００１２】
請求項６に記載の発明は、コンピュータを、カラーチャート出力時の出力条件を示す第１の出力条件情報が予め定められた規則に則って埋め込まれている複数の色変換プロファイルを取得し、当該取得された複数の色変換プロファイルのそれぞれから第１の出力条件情報を抽出し、当該抽出されたそれぞれの第１の出力条件情報と印刷時の出力条件を示す第２の出力条件情報とを比較して、前記取得された複数の色変換プロファイルの中から予め定められたフィルタ条件に合致する一又は複数の色変換プロファイルを抽出し、当該抽出された一又は複数の色変換プロファイルを表示部に選択可能に表示させる制御部として機能させるためのプログラムである。
【００１３】
請求項７に記載の発明は、コンピュータを、カラーチャート出力時の出力条件を示す第１の出力条件情報が予め定められた規則に則って埋め込まれている複数の色変換プロファイルを記憶する記憶部、印刷時の出力条件を示す第２の出力条件情報を含む印刷データを取得し、前記印刷データから第２の出力条件情報を抽出し、前記複数の色変換プロファイルのそれぞれから第１の出力条件情報を抽出し、前記複数の色変換プロファイルから抽出されたそれぞれの第１の出力条件情報と前記印刷データから抽出された第２の出力条件情報とを比較して、前記複数の色変換プロファイルの中から適用する色変換プロファイルを選択する制御部、として機能させるためのプログラムである。
【発明の効果】
【００１４】
請求項１、６に記載の発明によれば、色変換プロファイルを用いる際に、印刷時の出力条件に適した色変換プロファイルを選択することができる。
【００１５】
請求項２に記載の発明によれば、紙種情報に基づいて、フィルタ条件に合致する一又は複数の色変換プロファイルを抽出することができる。
【００１６】
請求項３、７に記載の発明によれば、色変換プロファイルを用いる際に、印刷時の出力条件に適した色変換プロファイルを選択することができる。
【００１７】
請求項４に記載の発明によれば、印刷データから抽出された第２の出力条件情報と最も近似する第１の出力条件情報が埋め込まれた色変換プロファイルを選択することができる。
【００１８】
請求項５に記載の発明によれば、印刷時の紙種に適した色変換プロファイルを選択することができる。
【図面の簡単な説明】
【００１９】
【図１】本発明の第１の実施の形態における印刷システムのシステム構成図である。
【図２】プロファイラの機能的構成を示すブロック図である。
【図３】印刷指示端末の機能的構成を示すブロック図である。
【図４】コントローラの機能的構成を示すブロック図である。
【図５】プロファイラにおいて実行されるプロファイル作成処理を示すフローチャートである。
【図６】紙種情報設定画面の例である。
【図７】カラーチャート測色画面の例である。
【図８】ＩＣＣプロファイルのデータ構造を示す図である。
【図９】印刷指示端末において実行される色変換設定処理を示すフローチャートである。
【図１０】色変換設定画面の例である。
【図１１】コントローラにおいて実行される色変換実行処理を示すフローチャートである。
【図１２】プロファイル自動選択処理を示すフローチャートである。
【図１３】第２の実施の形態のプロファイラにおける色変換プロファイルの作成手順を示す図である。
【図１４】ＸＭＬファイルの記述例である。
【発明を実施するための形態】
【００２０】
［第１の実施の形態］
まず、本発明に係る情報処理装置の第１の実施の形態について説明する。
図１に、印刷システム１００のシステム構成を示す。図１に示すように、印刷システム１００は、測色器１、プロファイラ２、印刷指示端末３ａ，３ｂ，３ｃ、プリンタ４ａ，４ｂ、コントローラ５ａ，５ｂを備えて構成されている。プロファイラ２、印刷指示端末３ａ，３ｂ，３ｃ、コントローラ５ａ，５ｂは、イントラネット等の通信ネットワークＮを介してデータ通信可能に接続されている。
【００２１】
測色器１は、プリンタ４ａ，４ｂから出力されたカラーチャートに含まれる複数色のカラーパッチを測色し、測色データを生成する。測色データは、Ｌ＊ａ＊ｂ＊、ＸＹＺ等のデバイスに依存しない表色系で表される。
プロファイラ２は、一般的なＰＣ（Personal Computer）から構成され、コントローラ５ａ，５ｂにおいて使用される色変換プロファイル２３２（図２参照）を作成する情報処理装置である。プロファイラ２は、コントローラ５ａ，５ｂに対して、カラーチャートの出力指示を行う。また、プロファイラ２は、測色器１からカラーチャートの測色データを取得し、取得した測色データに基づいて色変換プロファイル２３２を作成してこれを保存する。そして、プロファイラ２は、色変換プロファイル２３２をコントローラ５ａ，５ｂに送信してこれを保存させる。
【００２２】
印刷指示端末３ａ，３ｂ，３ｃは、一般的なＰＣから構成され、コントローラ５ａ，５ｂ経由でプリンタ４ａ，４ｂに印刷指示を行う情報処理装置である。印刷指示端末３ａ，３ｂ，３ｃには、印刷指示や印刷方法の指定を行うためのプリンタドライバプログラム３３１（図３参照）がインストールされている。なお、印刷指示端末３ａ，３ｂ，３ｃは、印刷制御プログラム、又は、指定ホットフォルダへのファイルのコピー等により、印刷指示を行うこととしてもよい。
【００２３】
プリンタ４ａ，４ｂは、コントローラ５ａ，５ｂから受信したラスタデータに基づいて、指定された紙種・トレイを用いて印刷処理を行う。
コントローラ５ａ，５ｂは、一般的なＰＣから構成され、印刷指示端末３ａ，３ｂ，３ｃから受信した印刷データに対して、色変換処理、ラスタライズ処理、スクリーニング処理等の処理を行い、ラスタデータを生成する情報処理装置である。コントローラ５ａ，５ｂは、プリンタ４ａ，４ｂにラスタデータを送信する。
【００２４】
コントローラ５ａ，５ｂには、色変換プロファイルとして、ソースプロファイル５３２及びデスティネーションプロファイル５３３（図４参照）が保存される。
ソースプロファイル５３２及びデスティネーションプロファイル５３３は、いずれも（１）入力ＣＭＹＫ値又は入力ＲＧＢ値と、Ｌ＊ａ＊ｂ＊値又はＸＹＺ値等の入出力デバイスに依存しない共通色空間の色値との対応関係、及び、（２）Ｌ＊ａ＊ｂ＊値又はＸＹＺ値等の入出力デバイスに依存しない共通色空間の色値と、出力デバイスに依存するＣＭＹＫ値との対応関係の二つの対応関係を記述したプロファイルである。これらの対応関係は、それぞれ色変換テーブル（ＬＵＴ：Look Up Table）等により記述される。
【００２５】
これらの二つの対応関係のうち、ソースプロファイル５３２は、入力ＣＭＹＫ値又は入力ＲＧＢ値と、Ｌ＊ａ＊ｂ＊値又はＸＹＺ値等の入出力デバイスに依存しない共通色空間の色値との対応関係が利用され、デスティネーションプロファイル５３３は、Ｌ＊ａ＊ｂ＊値又はＸＹＺ値等の入出力デバイスに依存しない共通色空間の色値と、出力デバイスに依存するＣＭＹＫ値との対応関係が利用される。
プロファイラ２により作成された色変換プロファイル２３２は、コントローラ５ａ，５ｂにおいて、デスティネーションプロファイル５３３として保存される。
【００２６】
なお、ソースプロファイル５３２及びデスティネーションプロファイル５３３に代えて、コントローラ５ａ，５ｂにデバイスリンクプロファイルが保存されることとしてもよい。
デバイスリンクプロファイルは、在るソースプロファイル５３２と在るデスティネーションプロファイル５３３との特定の組合せにおいて、両プロファイルを統合したプロファイルであり、入力ＣＭＹＫ値又は入力ＲＧＢ値と、出力デバイスにおけるＣＭＹＫ値との対応関係をデバイスに依存しない色空間を介さずに記述したプロファイルである。
【００２７】
図２に、プロファイラ２の機能的構成を示す。図２に示すように、プロファイラ２は、ＣＰＵ（Central Processing Unit）２１、ＲＡＭ（Random Access Memory）２２、記憶部２３、操作部２４、表示部２５、通信部２６、測色器ＩＦ部２７等を備えて構成され、各部はバス２８により接続されている。
【００２８】
ＣＰＵ２１は、プロファイラ２の各部の処理動作を統括的に制御する。ＣＰＵ２１は、操作部２４から入力される操作信号又は通信部２６により受信した指示信号に応じて、記憶部２３に格納されている各種処理プログラムを読み出してＲＡＭ２２に展開し、当該プログラムとの協働により各種処理を実行する。
【００２９】
ＲＡＭ２２は、ＣＰＵ２１により実行される各種処理プログラム及びこれらプログラムに係るデータを一時的に記憶するワークエリアを形成する。
【００３０】
記憶部２３は、不揮発性の半導体メモリやハードディスク等の記憶装置からなり、各種処理プログラムや各種処理に関するデータ等を記憶する。例えば、記憶部２３は、プロファイル作成プログラム２３１、色変換プロファイル２３２等を記憶する。
【００３１】
操作部２４は、カーソルキー、文字入力キー、及び各種機能キー等を備えたキーボードと、マウス等のポインティングデバイスを備えて構成され、ユーザによる操作入力を受け付ける。操作部２４は、キーボードに対するキー操作やマウス操作により入力された操作信号をＣＰＵ２１に出力する。
【００３２】
表示部２５は、ＬＣＤ（Liquid Crystal Display）を備え、ＣＰＵ２１からの指示に従って、各種操作画面や各種処理結果を表示する。
【００３３】
通信部２６は、通信ネットワークＮを介して外部装置との間でデータの送受信を行う。例えば、通信部２６は、コントローラ５ａ，５ｂからカラーチャート出力時の出力条件を示す出力条件情報を受信する。また、通信部２６は、コントローラ５ａ，５ｂに色変換プロファイル２３２を送信する。
【００３４】
測色器ＩＦ部２７は、測色器１との間でデータの入出力を行う。測色器ＩＦ部２７は、測色器１から測色データを受信する。
【００３５】
ＣＰＵ２１は、カラーチャート出力時の出力条件を示す出力条件情報を自動的に取得する場合には、通信部２６を介してコントローラ５ａ，５ｂから出力条件情報を取得する。カラーチャート出力時の出力条件を示す出力条件情報には、カラーチャートを出力した用紙の紙種を示す紙種情報、コントローラ５ａ，５ｂによるスクリーニング処理におけるスクリーン種、プリンタ４ａ，４ｂの固体識別番号、カラーチャート出力時の温度・湿度等、色再現に影響する情報が含まれる。
ＣＰＵ２１は、カラーチャート出力時の出力条件を示す出力条件情報を自動的に取得しない場合には、操作部２４より入力された出力条件情報を取得する。
【００３６】
ＣＰＵ２１は、通信部２６を介してコントローラ５ａ，５ｂにカラーチャートの出力を指示する。具体的には、ＣＰＵ２１は、各ＣＭＹＫ値のカラーパッチが配列されたカラーチャートの画像データを含む印刷指示をコントローラ５ａ，５ｂ送信する。
【００３７】
ＣＰＵ２１は、測色器ＩＦ部２７を介して測色器１を制御し、プリンタ４ａ，４ｂ（出力デバイス）により出力されたカラーチャートの測色を指示する。ＣＰＵ２１は、カラーチャートを測色器１で測色して得られた測色データを、測色器ＩＦ部２７を介して測色器１から取得する。
【００３８】
ＣＰＵ２１は、測色器１から取得された測色データに基づいて、プリンタ４ａ，４ｂの色再現特性を表す色変換プロファイル２３２を作成する。ＣＰＵ２１は、作成された色変換プロファイル２３２に、予め定められた規則に則って出力条件情報を埋め込む。
【００３９】
ＣＰＵ２１は、出力条件情報が埋め込まれた色変換プロファイル２３２を、カラーチャートが出力されたプリンタ４ａ，４ｂに接続されているコントローラ５ａ，５ｂに送信し、色変換プロファイル２３２の登録を行う。
【００４０】
図３に、印刷指示端末３ａの機能的構成を示す。図３に示すように、印刷指示端末３ａは、ＣＰＵ３１、ＲＡＭ３２、記憶部３３、操作部３４、表示部３５、通信部３６等を備えて構成され、各部はバス３７により接続されている。
【００４１】
ＣＰＵ３１は、印刷指示端末３ａの各部の処理動作を統括的に制御する。ＣＰＵ３１は、操作部３４から入力される操作信号又は通信部３６により受信した指示信号に応じて、記憶部３３に格納されている各種処理プログラムを読み出してＲＡＭ３２に展開し、当該プログラムとの協働により各種処理を実行する。
【００４２】
ＲＡＭ３２は、ＣＰＵ３１により実行される各種処理プログラム及びこれらプログラムに係るデータを一時的に記憶するワークエリアを形成する。
【００４３】
記憶部３３は、不揮発性の半導体メモリやハードディスク等の記憶装置からなり、各種処理プログラムや各種処理に関するデータ等を記憶する。例えば、記憶部３３は、プリンタドライバプログラム３３１等を記憶する。
【００４４】
操作部３４は、カーソルキー、文字入力キー、及び各種機能キー等を備えたキーボードと、マウス等のポインティングデバイスを備えて構成され、ユーザによる操作入力を受け付ける。操作部３４は、キーボードに対するキー操作やマウス操作により入力された操作信号をＣＰＵ３１に出力する。
【００４５】
表示部３５は、ＬＣＤを備え、ＣＰＵ３１からの指示に従って、各種操作画面や各種処理結果を表示する。
【００４６】
通信部３６は、通信ネットワークＮを介して外部装置との間でデータの送受信を行う。例えば、通信部３６は、コントローラ５ａ，５ｂに印刷データを送信する。
【００４７】
ＣＰＵ３１は、ユーザの操作部３４からの操作に基づいて、コントローラ５ａ，５ｂにおける色変換処理に用いるソースプロファイル５３２（図４参照）を設定する。
【００４８】
ＣＰＵ３１は、ユーザの操作部３４からの操作に基づいて、コントローラ５ａ，５ｂにおける色変換処理に用いるデスティネーションプロファイル５３３（図４参照）を自動で設定するか手動で設定するかを設定する。
【００４９】
デスティネーションプロファイル５３３を手動で設定する場合には、ＣＰＵ３１は、ユーザの操作部３４からの操作に基づいて、フィルタリング機能を有効にするか否かを設定する。フィルタリング機能とは、複数のデスティネーションプロファイル５３３の中から一のデスティネーションプロファイル５３３を選択する際に、フィルタ条件を設けて選択される候補となるデスティネーションプロファイル５３３を絞り込む機能をいう。
【００５０】
フィルタリング機能が有効の場合には、ＣＰＵ３１は、印刷が行われるプリンタ４ａ又はプリンタ４ｂに接続されているコントローラ５ａ又はコントローラ５ｂから複数のデスティネーションプロファイル５３３を取得する。ＣＰＵ３１は、取得された複数のデスティネーションプロファイル５３３のそれぞれから出力条件情報（第１の出力条件情報）を抽出する。ＣＰＵ３１は、抽出されたそれぞれの出力条件情報と印刷時の出力条件を示す出力条件情報（第２の出力条件情報）とを比較して、取得された複数のデスティネーションプロファイル５３３の中から予め定められたフィルタ条件に合致する一又は複数のデスティネーションプロファイル５３３を抽出する。印刷時の出力条件を示す出力条件情報には、印刷対象用紙の紙種を示す紙種情報、コントローラ５ａ，５ｂによるスクリーニング処理におけるスクリーン種、印刷対象のプリンタ４ａ，４ｂの固体識別番号、印刷指示時の温度・湿度等、色再現に影響する情報が含まれる。フィルタ条件として、デスティネーションプロファイル５３３から抽出された出力条件情報の一部又は全部が印刷時の出力条件を示す出力条件情報と同一であるという条件が設定されている。ＣＰＵ３１は、フィルタ条件に基づいて抽出された一又は複数のデスティネーションプロファイル５３３を表示部３５に選択可能に表示させる。そして、ＣＰＵ３１は、表示部３５に表示されているデスティネーションプロファイル５３３の中からユーザが選択したデスティネーションプロファイル５３３を設定する。
【００５１】
フィルタリング機能が無効の場合には、ＣＰＵ３１は、印刷が行われるプリンタ４ａ又はプリンタ４ｂに接続されているコントローラ５ａ又はコントローラ５ｂから複数のデスティネーションプロファイル５３３を取得する。ＣＰＵ３１は、取得された複数のデスティネーションプロファイル５３３を表示部３５に選択可能に表示させる。そして、ＣＰＵ３１は、表示部３５に表示されているデスティネーションプロファイル５３３の中からユーザが選択したデスティネーションプロファイル５３３を設定する。
【００５２】
ＣＰＵ３１は、コントローラ５ａ，５ｂに対して印刷指示を行う際、印刷データを生成し、生成した印刷データを通信部３６を介してコントローラ５ａ，５ｂに送信する。
印刷データには、印刷内容を示す画像データ及び印刷設定情報が含まれる。印刷設定情報には、印刷時の出力条件を示す出力条件情報（第２の出力条件情報）、色変換設定情報等が含まれる。色変換設定情報には、設定されたソースプロファイル５３２を示す情報、デスティネーションプロファイル５３３のプロファイル自動設定が有効か否かを示す情報が含まれる。デスティネーションプロファイル５３３のプロファイル自動設定が無効の場合、即ちデスティネーションプロファイル５３３を手動で設定した場合には、色変換設定情報には、さらに、設定されたデスティネーションプロファイル５３３を示す情報が含まれる。
【００５３】
印刷指示端末３ｂ，３ｃは、印刷指示端末３ａと同様の構成であるため、図３を援用し、その構成については図示及び説明を省略する。
【００５４】
図４に、コントローラ５ａの機能的構成を示す。図４に示すように、コントローラ５ａは、ＣＰＵ５１、ＲＡＭ５２、記憶部５３、操作部５４、表示部５５、通信部５６、プリンタＩＦ部５７等を備えて構成され、各部はバス５８により接続されている。
【００５５】
ＣＰＵ５１は、コントローラ５ａの各部の処理動作を統括的に制御する。ＣＰＵ５１は、操作部５４から入力される操作信号又は通信部５６により受信した指示信号に応じて、記憶部５３に格納されている各種処理プログラムを読み出してＲＡＭ５２に展開し、当該プログラムとの協働により各種処理を実行する。
【００５６】
ＲＡＭ５２は、ＣＰＵ５１により実行される各種処理プログラム及びこれらプログラムに係るデータを一時的に記憶するワークエリアを形成する。
【００５７】
記憶部５３は、不揮発性の半導体メモリやハードディスク等の記憶装置からなり、各種処理プログラムや各種処理に関するデータ等を記憶する。例えば、記憶部５３は、プリンタコントローラプログラム５３１、ソースプロファイル５３２、デスティネーションプロファイル５３３等を記憶する。デスティネーションプロファイル５３３は、プロファイラ２により作成された色変換プロファイル２３２に相当する。即ち、デスティネーションプロファイル５３３には、カラーチャート出力時の出力条件を示す出力条件情報（第１の出力条件情報）が予め定められた規則に則って埋め込まれている。また、記憶部５３は、プリンタ４ａの各給紙トレイに収納されている用紙の紙種を示す紙種情報を記憶する。
【００５８】
操作部５４は、カーソルキー、文字入力キー、及び各種機能キー等を備えたキーボードと、マウス等のポインティングデバイスを備えて構成され、ユーザによる操作入力を受け付ける。操作部５４は、キーボードに対するキー操作やマウス操作により入力された操作信号をＣＰＵ５１に出力する。
【００５９】
表示部５５は、ＬＣＤを備え、ＣＰＵ５１からの指示に従って、各種操作画面や各種処理結果を表示する。
【００６０】
通信部５６は、通信ネットワークＮを介して外部装置との間でデータの送受信を行う。例えば、通信部５６は、プロファイラ２から色変換プロファイル２３２を受信する。また、通信部５６は、印刷指示端末３ａ，３ｂ，３ｃから印刷データを受信する。
【００６１】
プリンタＩＦ部５７は、プリンタ４ａとの間でデータの入出力を行う。プリンタＩＦ部５７は、プリンタ４ａに対してラスタデータを送信する。
【００６２】
ＣＰＵ５１は、通信部５６を介して印刷指示端末３ａ，３ｂ，３ｃから印刷データを取得する。
ＣＰＵ５１は、印刷データに含まれる色変換設定情報に基づいて、設定されているソースプロファイル５３２を記憶部５３からＲＡＭ５２に読み込む。
【００６３】
ＣＰＵ５１は、印刷データに含まれる色変換設定情報において、デスティネーションプロファイル５３３のプロファイル自動設定が有効の場合には、印刷データから印刷時の出力条件を示す出力条件情報（第２の出力条件情報）を抽出する。
ＣＰＵ５１は、記憶部５３に記憶されている複数のデスティネーションプロファイル５３３（色変換プロファイル）のそれぞれから出力条件情報（第１の出力条件情報）を抽出する。ＣＰＵ５１は、複数のデスティネーションプロファイル５３３から抽出されたそれぞれの出力条件情報と印刷データから抽出された出力条件情報とを比較して、複数のデスティネーションプロファイル５３３の中から適用するデスティネーションプロファイル５３３を選択する。具体的には、ＣＰＵ５１は、複数のデスティネーションプロファイル５３３から抽出されたそれぞれの出力条件情報の中から、印刷データから抽出された出力条件情報と最も近似する出力条件情報を決定することにより、適用するデスティネーションプロファイル５３３を選択する。そして、ＣＰＵ５１は、選択されたデスティネーションプロファイル５３３を記憶部５３からＲＡＭ５２に読み込む。
【００６４】
一方、ＣＰＵ５１は、印刷データに含まれる色変換設定情報において、デスティネーションプロファイル５３３のプロファイル自動設定が無効の場合には、設定されているデスティネーションプロファイル５３３を記憶部５３からＲＡＭ５２に読み込む。
【００６５】
ＣＰＵ５１は、色変換プログラムとの協働により、色変換処理を行うＣＭＭ（Color Management Module）を実現する。ＣＰＵ５１は、ＲＡＭ５２に読み込まれたソースプロファイル５３２及びデスティネーションプロファイル５３３を用いて、色変換テーブルの作成及び色変換処理を行う。
【００６６】
ＣＰＵ５１は、色変換処理後の画像データに対してＲＩＰ処理を行い、ラスタデータを生成する。そして、ＣＰＵ５１は、プリンタＩＦ部５７を介してプリンタ４ａにラスタデータを送信する。
【００６７】
コントローラ５ｂは、コントローラ５ａと同様の構成であるため、図４を援用し、その構成については図示及び説明を省略する。
【００６８】
以下、出力条件情報として紙種情報を用いた場合について説明する。
紙種情報は、紙カテゴリ・紙色・光沢・斤量の４要素を含む。紙種情報を用いて紙種の一致又は近似が判断される。なお、紙種情報を構成する要素の数は、これに限定されない。
【００６９】
紙カテゴリは、用紙の紙質を示すものであり、「普通紙」、「カラーコピー紙」、「上質紙」、「コート紙」の属性に分類される。
紙色は、用紙の色を示すものであり、「白色」、「黄色」、「その他」の属性に分類される。
光沢は、用紙の光沢の有無を示すものであり、「あり」、「なし」の属性に分類される。
斤量（g/m2）は、用紙の単位面積当たりの重量を示すものであり、「〜６０」、「６１〜９０」、「９１〜１２０」、「１２１〜１４０」、「１４１〜」の属性に分類される。
【００７０】
紙種の判断を容易にするために、各要素を数値化する。この際、斤量は、軽いものから順に並べる等、要素内で近似する属性は、できるだけ近い数値（属性コード）となるようにしておくことが望ましい。
【００７１】
表１に、紙カテゴリの属性とその属性に対応する属性コードを示す。
【表１】
2011223620.tif 000003
【００７２】
表２に、紙色の属性とその属性に対応する属性コードを示す。
【表２】
2011223620.tif 000004
【００７３】
表３に、光沢の属性とその属性に対応する属性コードを示す。
【表３】
2011223620.tif 000005
【００７４】
表４に、斤量の属性とその属性に対応する属性コードを示す。
【表４】
2011223620.tif 000006
【００７５】
次に、動作について説明する。
図５に、プロファイラ２において実行されるプロファイル作成処理のフローチャートを示す。プロファイル作成処理は、出力されたカラーチャートに基づいて、色変換プロファイル２３２を作成し、この色変換プロファイル２３２に紙種情報を埋め込む処理であって、ＣＰＵ２１と、記憶部２３に記憶されているプロファイル作成プログラム２３１との協働によるソフトウェア処理によって実現される。
【００７６】
まず、ＣＰＵ２１により、プロファイラ２の起動時に、コントローラ５ａ，５ｂとの接続が確認される（ステップＳ１）。具体的には、ＣＰＵ２１により、接続可能なコントローラ５ａ，５ｂが自動的に通信ネットワークＮ上から検索され、表示部２５に表示される。そして、ユーザの操作部２４からの操作により、表示部２５に表示されたコントローラ５ａ，５ｂの中から、カラーチャートを出力すべきプリンタ４ａ，４ｂに接続されたコントローラ５ａ，５ｂが選択される。また、ユーザの操作部２４からの操作により、任意のＩＰアドレスが指定されることで、コントローラ５ａ，５ｂが選択されることとしてもよい。また、コントローラ５ａ，５ｂ経由でカラーチャートを出力しない場合や、既に印刷済みのカラーチャートを用いて測色する場合には、コントローラ５ａ，５ｂとの接続を行わなくてもかまわない。
【００７７】
図６に、プロファイラ２の表示部２５に表示される紙種情報設定画面２５１の例を示す。紙種情報設定画面２５１には、プリンタ名表示領域６１、プロファイル名設定領域６２、トレイ設定領域６３、用紙サイズ設定領域６４、紙カテゴリ設定領域６５、斤量設定領域６６、光沢設定領域６７、紙色設定領域６８、トレイ情報取得ボタン６９等が含まれる。
【００７８】
プリンタ名表示領域６１には、プロファイラ２がコントローラ５ａ，５ｂを介してプリンタ４ａ，４ｂと接続されている場合の、現在の接続先のプリンタ４ａ，４ｂのプリンタ名が表示される。プロファイラ２は、その接続先のプリンタ４ａ，４ｂへカラーチャートの出力指示を行うことができる。
【００７９】
プロファイル名設定領域６２は、プロファイル名を設定するための領域である。ユーザは、操作部２４からの操作により、プロファイル名設定領域６２において、作成される色変換プロファイル２３２に付ける名前を入力する。
【００８０】
トレイ設定領域６３は、接続先のプリンタ４ａ，４ｂについて、カラーチャート出力に用いる用紙が収納されている給紙トレイを設定するための領域である。ユーザは、操作部２４からの操作により、トレイ設定領域６３において、カラーチャート出力に用いる用紙が収納されている給紙トレイを指定する。
【００８１】
用紙サイズ設定領域６４は、カラーチャート出力に用いる用紙の用紙サイズを設定するための領域である。ユーザは、操作部２４からの操作により、用紙サイズ設定領域６４において、カラーチャート出力に用いる用紙の用紙サイズを指定する。
【００８２】
紙カテゴリ設定領域６５は、カラーチャート出力に用いる用紙の紙カテゴリを設定するための領域である。ユーザは、操作部２４からの操作により、紙カテゴリ設定領域６５において、カラーチャート出力に用いる用紙の紙カテゴリを指定する。
【００８３】
斤量設定領域６６は、カラーチャート出力に用いる用紙の斤量を設定するための領域である。ユーザは、操作部２４からの操作により、斤量設定領域６６において、カラーチャート出力に用いる用紙の斤量を指定する。
【００８４】
光沢設定領域６７は、カラーチャート出力に用いる用紙の光沢を設定するための領域である。ユーザは、操作部２４からの操作により、光沢設定領域６７において、カラーチャート出力に用いる用紙の光沢を指定する。
【００８５】
紙色設定領域６８は、カラーチャート出力に用いる用紙の紙色を設定するための領域である。ユーザは、操作部２４からの操作により、紙色設定領域６８において、カラーチャート出力に用いる用紙の紙色を指定する。
【００８６】
トレイ情報取得ボタン６９は、トレイ設定領域６３において設定された給紙トレイに収納されている用紙の紙種情報を取得するためのボタンである。
【００８７】
プロファイラ２がコントローラ５ａ，５ｂと接続されている場合であって（ステップＳ２；ＹＥＳ）、カラーチャート出力時の紙種情報が自動で取得される場合には（ステップＳ３；ＹＥＳ）、ＣＰＵ２１により、ユーザの操作部２４からの操作に基づいて、カラーチャートを出力するプリンタ４ａ，４ｂの給紙トレイが選択される（ステップＳ４）。具体的には、表示部２５に表示される紙種情報設定画面２５１のトレイ設定領域６３において、操作部２４により、給紙トレイが指定される。
【００８８】
ユーザがトレイ設定領域６３において給紙トレイを指定した後、操作部２４からの操作により、トレイ情報取得ボタン６９を押下すると、ＣＰＵ２１により、選択された給紙トレイの紙種情報（カラーチャート出力に用いる用紙の紙種情報）が通信部２６を介してコントローラ５ａ，５ｂから自動的に取得される（ステップＳ５）。具体的には、ＣＰＵ２１により、選択された給紙トレイの紙種情報の取得要求が通信部２６を介してコントローラ５ａ，５ｂに送信され、コントローラ５ａ，５ｂから送信された紙種情報が通信部２６を介して取得される。取得された紙種情報は、ＣＰＵ２１により、用紙サイズ設定領域６４、紙カテゴリ設定領域６５、斤量設定領域６６、光沢設定領域６７、紙色設定領域６８に表示される。なお、コントローラ５ａ，５ｂにおいて、自動で給紙トレイを選択する機能がある場合には、給紙トレイの選択を自動で行ってもかまわない。
【００８９】
プロファイラ２がコントローラ５ａ，５ｂと接続されている場合であって（ステップＳ２；ＹＥＳ）、カラーチャート出力時の紙種情報が自動で取得されない場合には（ステップＳ３；ＮＯ）、ＣＰＵ２１により、ユーザの操作部２４からの操作に基づいて、カラーチャートを出力するプリンタ４ａ，４ｂの給紙トレイが選択される（ステップＳ６）。具体的には、表示部２５に表示される紙種情報設定画面２５１のトレイ設定領域６３において、操作部２４により、給紙トレイが指定される。
【００９０】
次に、ＣＰＵ２１により、ユーザが操作部２４から指定した紙種情報（カラーチャート出力に用いる用紙の紙種情報）が取得される（ステップＳ７）。具体的には、表示部２５に表示される紙種情報設定画面２５１の用紙サイズ設定領域６４、紙カテゴリ設定領域６５、斤量設定領域６６、光沢設定領域６７、紙色設定領域６８において、操作部２４により、用紙サイズ、紙カテゴリ、斤量、光沢、紙色が指定される。
【００９１】
ステップＳ５又はステップＳ７の後、ＣＰＵ２１により、取得された紙種情報に従って、コントローラ５ａ，５ｂにカラーチャートの出力指示が通信部２６を介して送信される（ステップＳ８）。そして、プリンタ４ａ，４ｂにより、紙種情報に従った用紙を用いてカラーチャートが出力される。
【００９２】
ステップＳ２において、プロファイラ２がコントローラ５ａ，５ｂと接続されていない場合には（ステップＳ２；ＮＯ）、ＣＰＵ２１により、ユーザが操作部２４から指定したカラーチャート出力時の紙種情報が取得される（ステップＳ９）。そして、予め用意されていたカラーチャートが準備される。
【００９３】
ステップＳ８又はステップＳ９の後、ＣＰＵ２１により、ステップＳ８の出力指示に基づいてプリンタ４ａ，４ｂにおいて出力されたカラーチャート、又は、予め用意されていたカラーチャートを測色器１により測色して得られた測色データが測色器ＩＦ部２７を介して取得される（ステップＳ１０）。
【００９４】
図７に、プロファイラ２の表示部２５に表示されるカラーチャート測色画面２５２の例を示す。カラーチャート測色画面２５２には、開始ボタン７１、測色結果表示領域７２、保存ボタン７３等が含まれる。
【００９５】
開始ボタン７１は、測色器１によるカラーチャートの測色開始を指示するためのボタンである。ユーザは、操作部２４からの操作により、開始ボタン７１を押下して、カラーチャートの測色開始を指示する。
【００９６】
測色結果表示領域７２は、カラーチャートを測色した結果が表示される領域である。測色結果表示領域７２には、カラーチャート内の各カラーパッチの入力データ（ＣＭＹＫ値）と、それに対応する測色結果（Ｌ＊ａ＊ｂ＊値）が表示される。
【００９７】
保存ボタン７３は、測色結果を保存する際に押下されるボタンである。ユーザは、操作部２４からの操作により、保存ボタン７３を押下して、測色結果の保存を指示する。測色結果は色変換プロファイル２３２の計算に使われる。また、測色結果は色差の計算等、解析にも用いられる。
【００９８】
次に、ＣＰＵ２１により、測色データに基づいて、プリンタ４ａ，４ｂの色再現特性を表す色変換プロファイル２３２が作成される（ステップＳ１１）。
【００９９】
次に、ＣＰＵ２１により、紙種情報が色変換プロファイル２３２に埋め込める形に変換され、色変換プロファイル２３２に紙種情報が埋め込まれる（ステップＳ１２）。
【０１００】
第１の実施の形態では、色変換プロファイル２３２として、ＩＣＣの仕様に基づいたＩＣＣプロファイルを作成する場合について説明する。
図８に、ＩＣＣプロファイル８０のデータ構造を示す。ＩＣＣプロファイル８０は、プロファイルヘッダ８１、タグテーブル８２、タグ化された要素データ８３から構成される。
【０１０１】
プロファイルヘッダ８１には、プロファイルの各種情報が記述される。
タグテーブル８２には、プロファイルを構成する要素の一覧が記述されている。具体的には、タグ数、タグ毎の種別（ＬＵＴ、ガマット情報等の種類）、オフセット（タグの開始アドレスを示す情報）、サイズが記述される。
【０１０２】
タグ化された要素データ８３には、それぞれのタグの内容（ＬＵＴ、ガマット情報等の内容）が記述される。タグ化された要素データ８３のうち、プライベートタグ８４には紙種情報が記述される。データ記述方式は、図８に示すようにＡＳＣＩＩ文字列でもよいし、バイナリ形式でもよい。図８に示す例では、プライベートタグ８４に「category=1,color=1,gloss=2,weight=3」と記述されている。これは、紙カテゴリが「普通紙」であり、紙色が「白色」であり、光沢が「なし」であり、斤量が「９１〜１２０」であることを示している（表１〜表４参照）。即ち、第１の実施の形態では、ＩＣＣプロファイル８０内のプライベートタグ８４に、紙種情報の各要素に対応する属性を属性コードで記述することにより、ＩＣＣプロファイル８０に紙種情報を埋め込んでいる。
【０１０３】
次に、プロファイラ２がコントローラ５ａ，５ｂと接続されている場合には（ステップＳ１３；ＹＥＳ）、ＣＰＵ２１により、コントローラ５ａ，５ｂに色変換プロファイル２３２が送信されるとともに（ステップＳ１４）、色変換プロファイル２３２が記憶部２３に保存される（ステップＳ１５）。コントローラ５ａ，５ｂでは、ＣＰＵ５１により、プロファイラ２から送信された色変換プロファイル２３２がデスティネーションプロファイル５３３として記憶部５３に記憶される。
【０１０４】
ステップＳ１３において、プロファイラ２がコントローラ５ａ，５ｂと接続されていない場合には（ステップＳ１３；ＮＯ）、ＣＰＵ２１により、色変換プロファイル２３２が記憶部２３に保存される（ステップＳ１５）。そして、後にユーザが手動で色変換プロファイル２３２をコントローラ５ａ，５ｂにアップロードする。
以上で、プロファイル作成処理が終了する。
【０１０５】
図９に、印刷指示端末３ａにおいて印刷を指示する際に実行される色変換設定処理のフローチャートを示す。ここでは、印刷指示端末３ａからコントローラ５ａに対する色変換設定処理を行う場合を例にして説明するが、印刷指示端末３ａからコントローラ５ｂに対する色変換設定処理を行う場合、印刷指示端末３ｂ，３ｃからコントローラ５ａ，５ｂに対する色変換設定処理を行う場合についても同様である。色変換設定処理は、ＣＰＵ３１と、記憶部３３に記憶されているプリンタドライバプログラム３３１との協働によるソフトウェア処理によって実現される。
【０１０６】
まず、ＣＰＵ３１により、色変換の設定が開始される（ステップＳ２１）。
図１０に、印刷指示端末３ａの表示部３５に表示される色変換設定画面３５１の例を示す。ここでは、色変換の設定として、プリンタドライバ上での印刷設定において、二つのデバイスプロファイル（ソースプロファイル５３２、デスティネーションプロファイル５３３）を設定する場合について説明する。デバイスリンクプロファイルを用いる場合には、ソースプロファイル５３２とデスティネーションプロファイル５３３の両方を設定する必要はなく、デスティネーションプロファイル５３３に相当する部分をデバイスリンクプロファイルだけで置き換えることができる。
【０１０７】
図１０に示すように、色変換設定画面３５１には、ソースプロファイル設定領域９１及びデスティネーションプロファイル設定領域９２等が含まれる。ソースプロファイル設定領域９１は、ソースプロファイル５３２を設定するための領域であり、デスティネーションプロファイル設定領域９２は、デスティネーションプロファイル５３３を設定するための領域である。
【０１０８】
ソースプロファイル設定領域９１には、ＲＧＢプロファイル設定領域９３及びＣＭＹＫプロファイル設定領域９４が含まれる。
【０１０９】
ＲＧＢプロファイル設定領域９３は、ＲＧＢデータが入力された場合のソースプロファイル５３２を設定するための領域である。ユーザは、操作部３４からの操作により、ＲＧＢプロファイル設定領域９３において、ＲＧＢデータが入力された場合のソースプロファイル５３２を指定する。
【０１１０】
ＣＭＹＫプロファイル設定領域９４は、ＣＭＹＫデータが入力された場合のソースプロファイルを設定するための領域である。ユーザは、操作部３４からの操作により、ＣＭＹＫプロファイル設定領域９４において、ＣＭＹＫデータが入力された場合のソースプロファイルを指定する。
【０１１１】
デスティネーションプロファイル設定領域９２には、プロファイル自動設定ボタン９５、プロファイル手動設定ボタン９６、フィルタリング設定領域９７、ＣＭＹＫプロファイル設定領域９８が含まれる。
【０１１２】
プロファイル自動設定ボタン９５及びプロファイル手動設定ボタン９６は、いずれかをＯＮに設定することにより、デスティネーションプロファイル５３３を自動で設定するか手動で設定するかを選択するためのボタンである。プロファイル自動設定ボタン９５がＯＮに設定された場合には、コントローラ５ａにおいて、記憶部５３に記憶されているデスティネーションプロファイル５３３の中から最適なデスティネーションプロファイル５３３が自動設定される。プロファイル手動設定ボタン９６がＯＮに設定された場合には、ユーザが任意のデスティネーションプロファイル５３３を指定することになる。
【０１１３】
フィルタリング設定領域９７は、フィルタリング機能を有効にするか否か、さらに、フィルタリング機能を有効にする場合にはフィルタ条件を設定するための領域である。フィルタ条件の種類としては、「紙種が完全同一なもの」、「紙カテゴリが同一なもの」、「紙色が同一なもの」、「光沢が同一なもの」、「斤量が同一なもの」等が挙げられる。ユーザは、操作部３４からの操作により、フィルタリング設定領域９７において、フィルタリングなしを指定するか、あるいは、デスティネーションプロファイル５３３を絞り込む際のフィルタ条件を指定する。
【０１１４】
ＣＭＹＫプロファイル設定領域９８は、一又は複数のデスティネーションプロファイル５３３が選択可能に表示される領域である。フィルタリング機能が有効の場合、ＣＭＹＫプロファイル設定領域９８には、フィルタリング設定領域９７で指定されたフィルタ条件に合致した一又は複数のデスティネーションプロファイル５３３が選択可能に表示される。フィルタリング機能が無効の場合、ＣＭＹＫプロファイル設定領域９８には、記憶部５３に記憶されている全てのデスティネーションプロファイル５３３が選択可能に表示される。ユーザは、操作部３４からの操作により、ＣＭＹＫプロファイル設定領域９８において、一又は複数のデスティネーションプロファイル５３３の中からいずれか一のデスティネーションプロファイル５３３を指定する。
このように、フィルタリング機能を活用することで、ユーザは、使用する紙種と一致又は近似した紙種用のデスティネーションプロファイル５３３を、ＣＭＹＫプロファイル設定領域９８に表示されるリストから簡単に選択することができる。
【０１１５】
色変換設定画面３５１では、フィルタリング機能をリストボックスにて実現しているが、ラジオボタンやチェックボックスを組み合わせ、より詳細に設定できることとしてもよい。さらに、紙種以外の項目、例えば、作成日時や作成者情報等を元に、検索精度を向上させてもよい。
さらに、画面上でスペースが許すならば、デスティネーションプロファイル５３３のリストを表示する際に、デスティネーションプロファイル５３３に埋め込まれた紙種情報に基づいて、全てのデスティネーションプロファイル５３３について、それぞれの紙種情報を表示してもよい。
【０１１６】
ステップＳ２１の後、ＣＰＵ３１により、ユーザの操作部３４からの操作に基づいて、ソースプロファイル５３２が設定される（ステップＳ２２）。具体的には、ＣＰＵ３１により、色変換設定画面３５１のＲＧＢプロファイル設定領域９３及びＣＭＹＫプロファイル設定領域９４において指定されたソースプロファイル５３２が設定される。
【０１１７】
次に、ＣＰＵ３１により、色変換設定画面３５１のプロファイル自動設定ボタン９５において、デスティネーションプロファイル５３３のプロファイル自動設定がＯＮに設定されているか否かが判断される（ステップＳ２３）。デスティネーションプロファイル５３３のプロファイル自動設定がＯＮの場合には（ステップＳ２３；ＹＥＳ）、ＣＰＵ３１により、色変換設定情報のプロファイル自動設定が有効に設定される（ステップＳ２４）。
【０１１８】
ステップＳ２３において、デスティネーションプロファイル５３３のプロファイル自動設定がＯＦＦの場合（ステップＳ２３；ＮＯ）、即ち、色変換設定画面３５１のプロファイル手動設定ボタン９６において、デスティネーションプロファイル５３３のプロファイル手動設定がＯＮの場合には、ユーザが任意のデスティネーションプロファイル５３３を選択することになる。ここで、ＣＰＵ３１により、デスティネーションプロファイル５３３のフィルタリング機能が有効か否かが判断される（ステップＳ２５）。具体的には、ＣＰＵ３１により、色変換設定画面３５１のフィルタリング設定領域９７において、フィルタ条件が指定されているか否かが判断される。
【０１１９】
デスティネーションプロファイル５３３のフィルタリング機能が有効の場合には（ステップＳ２５；ＹＥＳ）、ＣＰＵ３１により、コントローラ５ａの記憶部５３に記憶されている全てのデスティネーションプロファイル５３３（プロファイル群）が取得される（ステップＳ２６）。具体的には、ＣＰＵ３１により、デスティネーションプロファイル５３３の取得要求が通信部３６を介してコントローラ５ａに送信され、コントローラ５ａから送信されたデスティネーションプロファイル５３３が通信部３６を介して取得される。次に、ＣＰＵ３１により、取得されたプロファイル群の各デスティネーションプロファイル５３３に埋め込まれた紙種情報が逐次抽出される（ステップＳ２７）。
【０１２０】
そして、ＣＰＵ３１により、各デスティネーションプロファイル５３３から抽出されたそれぞれの紙種情報と印刷時の紙種を示す紙種情報とが比較され、取得された複数のデスティネーションプロファイル５３３の中から、印刷時の紙種を示す紙種情報との関係において、ユーザが色変換設定画面３５１のフィルタリング設定領域９７において指定したフィルタ条件に合致する一又は複数のデスティネーションプロファイル５３３が抽出される。例えば、フィルタ条件として「紙種が完全同一なもの」が指定されている場合には、ＣＰＵ３１により、記憶部５３に記憶されている複数のデスティネーションプロファイル５３３の中から、デスティネーションプロファイル５３３から抽出された紙種情報が印刷時の紙種を示す紙種情報と完全に一致するデスティネーションプロファイル５３３が抽出される。また、フィルタ条件として「紙色が同一なもの」が指定されている場合には、ＣＰＵ３１により、記憶部５３に記憶されている複数のデスティネーションプロファイル５３３の中から、デスティネーションプロファイル５３３から抽出された紙種情報の紙色が印刷時の用紙の紙色と一致するデスティネーションプロファイル５３３が抽出される。そして、ＣＰＵ３１により、抽出された一又は複数のデスティネーションプロファイル５３３が色変換設定画面３５１のＣＭＹＫプロファイル設定領域９８に選択可能にリスト表示される（ステップＳ２８）。
【０１２１】
一方、ステップＳ２５において、プロファイルのフィルタリング機能が無効の場合（ステップＳ２５；ＮＯ）、即ち、色変換設定画面３５１のフィルタリング設定領域９７において、フィルタリングなしが指定されている場合には、ＣＰＵ３１により、コントローラ５ａの記憶部５３に記憶されている全てのデスティネーションプロファイル５３３（プロファイル群）が取得され（ステップＳ２９）、取得されたデスティネーションプロファイル５３３が色変換設定画面３５１のＣＭＹＫプロファイル設定領域９８に選択可能にリスト表示される（ステップＳ３０）。
【０１２２】
ステップＳ２８又はステップＳ３０の後、ＣＰＵ３１により、ユーザの操作部３４からの操作に基づいて、表示部３５にリスト表示されているデスティネーションプロファイル５３３の中から適用するデスティネーションプロファイル５３３が設定される（ステップＳ３１）。
【０１２３】
ステップＳ２４又はステップＳ３１の後、色変換設定が登録され（ステップＳ３２）、色変換設定処理が終了する。色変換設定の登録とは、設定された内容で色変換設定情報を作成しておくことをいう。印刷指示時にコントローラ５ａに送信される印刷データの印刷設定情報には、印刷時の紙種を示す紙種情報及び色変換設定情報が含まれる。
【０１２４】
図１１に、コントローラ５ａにおいて実行される色変換実行処理のフローチャートを示す。ここでは、コントローラ５ａが印刷指示端末３ａから印刷データを受信した場合を例にして説明するが、コントローラ５ａが印刷指示端末３ｂ，３ｃから印刷データを受信した場合、コントローラ５ｂが印刷指示端末３ａ，３ｂ，３ｃから印刷データを受信した場合についても同様である。色変換実行処理は、ＣＰＵ５１と、記憶部５３に記憶されているプリンタコントローラプログラム５３１との協働によるソフトウェア処理によって実現される。
【０１２５】
まず、ＣＰＵ５１により、通信部５６を介して印刷指示端末３ａから印刷データが取得される（ステップＳ４１）。
【０１２６】
次に、ＣＰＵ５１により、取得された印刷データの色変換設定情報に基づいて、設定されたソースプロファイル５３２が記憶部５３からＲＡＭ５２に読み込まれる（ステップＳ４２）。
【０１２７】
次に、ＣＰＵ５１により、色変換設定情報に基づいて、デスティネーションプロファイル５３３のプロファイル自動設定が有効になっているかが判断される（ステップＳ４３）。デスティネーションプロファイル５３３のプロファイル自動設定が有効の場合には（ステップＳ４３；ＹＥＳ）、ＣＰＵ５１により、印刷データから印刷時の紙種を示す紙種情報が抽出される（ステップＳ４４）。抽出された紙種情報は、ＣＰＵ５１により、ＲＡＭ５２に格納される。
【０１２８】
次に、ＣＰＵ５１により、記憶部５３に記憶されている登録済みのデスティネーションプロファイル５３３が検索される（ステップＳ４５）。そして、ＣＰＵ５１により、プロファイル自動選択処理が行われる（ステップＳ４６）。
【０１２９】
ここで、図１２を参照して、プロファイル自動選択処理について説明する。
まず、ＣＰＵ５１により、記憶部５３に予め記憶されている種別係数がＲＡＭ５２に読み出される（ステップＳ５１）。
種別係数は、紙種情報の各要素がどれだけ色再現（画質）に影響するかを表すものである。
表５に、各要素に対応する種別係数を示す。
【表５】
2011223620.tif 000007
【０１３０】
表５に示す例では、要素の中で紙カテゴリと紙色が色再現に最も大きく影響し、続いて、光沢、斤量という順で色再現に影響することを示している。ただし、種別係数はプリンタのエンジン特性に依存するため、事前に最適な種別係数の値を検討する必要がある。検討の方法としては、以下の方法が考えられる。それぞれ検討要素毎に同一のカラーチャートを色補正せずに出力し、ある基準（例えば、印刷ターゲット）との色差（ΔＥab、ΔＥ94、ΔＥ00等）の平均を計算し、その要素間の分散（上記の例では、紙カテゴリ４種、紙色３種、光沢２種、斤量５種のそれぞれにおける色差の平均の分散）を比較する。分散が大きいほど、色再現に対する寄与が大きいことがわかり、その要素の種別係数を大きく取ればよい。
【０１３１】
次に、ＣＰＵ５１により、記憶部５３に記憶されている全てのデスティネーションプロファイル５３３のうち一つのデスティネーションプロファイル５３３が処理対象に設定される（ステップＳ５２）。ＣＰＵ５１により、処理対象のデスティネーションプロファイル５３３に埋め込まれている紙種情報が抽出される（ステップＳ５３）。抽出された紙種情報は、ＣＰＵ５１により、ＲＡＭ５２に格納される。
【０１３２】
次に、ＣＰＵ５１により、処理対象のデスティネーションプロファイル５３３から抽出された紙種情報と、印刷データから抽出された紙種情報とに基づいて、近似度ｒが算出される（ステップＳ５４）。近似度ｒは、以下の式（１）にて定義される。
【０１３３】
【数１】
2011223620.tif 000008
【０１３４】
ここで、Ｃnは要素ｎの種別係数であり、ｐnはデスティネーションプロファイル５３３から抽出された紙種情報に含まれる要素ｎの属性コードであり、ｐ’nは印刷データから抽出された紙種情報に含まれる要素ｎの属性コードである。ｎは、紙種判定に用いる要素の数で、上記の例では４まで存在する。近似度ｒが小さいほど２種類の紙種は近く、近似度ｒが０ならば２種類の紙種が一致することになる。
【０１３５】
そして、ＣＰＵ５１により、これまでに算出された近似度ｒの最小値及びそのデスティネーションプロファイル５３３がＲＡＭ５２に保持される（ステップＳ５５）。
【０１３６】
次に、ＣＰＵ５１により、記憶部５３に記憶されている全てのデスティネーションプロファイル５３３について処理が終了したか否かが判断される（ステップＳ５６）。記憶部５３に記憶されている全てのデスティネーションプロファイル５３３のうち処理が終了していないデスティネーションプロファイル５３３が存在する場合には（ステップＳ５６；ＮＯ）、ＣＰＵ５１により、次のデスティネーションプロファイル５３３が処理対象に設定され（ステップＳ５７）、ステップＳ５３に戻る。そして、ステップＳ５３〜ステップＳ５６の処理が繰り返される。
【０１３７】
ステップＳ５６において、記憶部５３に記憶されている全てのデスティネーションプロファイル５３３について処理が終了した場合には（ステップＳ５６；ＹＥＳ）、ＣＰＵ５１により、該当するデスティネーションプロファイル５３３（近似度ｒが最小のものとしてＲＡＭ５２に保持されているデスティネーションプロファイル５３３）が複数存在するか否かが判断される（ステップＳ５８）。
【０１３８】
該当するデスティネーションプロファイル５３３が複数存在する場合には（ステップＳ５８；ＹＥＳ）、ＣＰＵ５１により、作成日時が最新のデスティネーションプロファイル５３３が選択される（ステップＳ５９）。該当するデスティネーションプロファイル５３３が一つしかない場合には（ステップＳ５８；ＮＯ）、そのデスティネーションプロファイル５３３が選択される（ステップＳ６０）。このように、ＣＰＵ５１により、式（１）を用いて、デスティネーションプロファイル５３３から抽出された紙種情報と色変換対象の印刷データから抽出された紙種情報とが比較され、近似度ｒが一番小さいデスティネーションプロファイル５３３が選択される。ステップＳ５９又はステップＳ６０の後、図１１のステップＳ４７に移行する。
【０１３９】
次に、図１１に戻り、ＣＰＵ５１により、プロファイル自動選択処理により選択されたデスティネーションプロファイル５３３が記憶部５３からＲＡＭ５２に読み込まれる（ステップＳ４７）。
【０１４０】
一方、ステップＳ４３において、デスティネーションプロファイル５３３のプロファイル自動設定が有効でなかった場合（ステップＳ４３；ＮＯ）、即ち、デスティネーションプロファイル５３３が手動で設定されていた場合には、ＣＰＵ５１により、色変換設定情報において設定されているデスティネーションプロファイル５３３が記憶部５３からＲＡＭ５２に読み込まれる（ステップＳ４７）。
【０１４１】
次に、ＣＰＵ５１により、ステップＳ４２で読み込まれたソースプロファイル５３２及びステップＳ４７で読み込まれたデスティネーションプロファイル５３３を用いて、色変換処理に用いる色変換テーブルが作成される（ステップＳ４８）。そして、ＣＰＵ５１により、作成された色変換テーブルに基づいて、印刷データに対して色変換処理が行われる（ステップＳ４９）。
以上で、色変換実行処理が終了する。
【０１４２】
以上説明したように、第１の実施の形態によれば、プロファイラ２において、色変換プロファイル２３２に紙種情報等の出力条件情報が埋め込まれるので、後に色変換プロファイル２３２を用いる際に、出力条件に適した色変換プロファイル２３２を選択することができる。
また、プロファイラ２がコントローラ５ａ，５ｂから出力条件情報を自動的に取得する場合には、入力ミスを防ぐことができる。
また、プロファイラ２は、操作部２４より入力された出力条件情報を取得することができる。
また、プロファイラ２において、ＩＣＣプロファイル８０内のプライベートタグ８４に紙種情報等の出力条件情報を記述することにより、簡単にＩＣＣプロファイル８０に出力条件情報を埋め込むことができる。
【０１４３】
また、印刷指示端末３ａ，３ｂ，３ｃにおいて、フィルタリング機能を利用する場合、フィルタ条件に合致する一又は複数のデスティネーションプロファイル５３３（色変換プロファイル）を表示部３５に選択可能に表示させることで、ユーザによるデスティネーションプロファイル５３３の選択を支援することができる。例えば、印刷指示端末３ａ，３ｂ，３ｃでは、紙種情報に基づいて、フィルタ条件に合致する一又は複数のデスティネーションプロファイル５３３を抽出することができる。したがって、デスティネーションプロファイル５３３を用いる際に、印刷時の出力条件に適したデスティネーションプロファイル５３３を選択することができる。
【０１４４】
また、コントローラ５ａ，５ｂにおいて、デスティネーションプロファイル５３３（色変換プロファイル）を用いる際に、印刷時の紙種等の出力条件に適したデスティネーションプロファイル５３３を選択することができる。具体的には、印刷データから抽出された出力条件情報と最も近似する出力条件情報が埋め込まれたデスティネーションプロファイル５３３を選択することができる。このように、コントローラ５ａ，５ｂでは、自動的に印刷時の出力条件に応じた色変換処理を行うことができるので、出力条件毎にデスティネーションプロファイル５３３を予め用意しておく必要がない。
【０１４５】
また、デスティネーションプロファイル５３３（デバイスプロファイル）に出力条件情報が埋め込まれているので、デバイスプロファイルを用いてデバイスリンクプロファイル形式のプロファイルを作成した場合にも、出力条件情報を引き継いで活用することができる。
【０１４６】
また、１台のプリンタに２台以上のコントローラが接続されている場合、又は、同一機種のプリンタとコントローラの組が２組以上ある場合（紙種、スクリーン種等の設定が同じ場合）には、一のコントローラに保存されている色変換プロファイル（デスティネーションプロファイル）を他のコントローラにコピーすることにより、他のコントローラにおいてもコピーされた色変換プロファイルを利用することができる。なお、色変換処理とは別に、日々のプリンタエンジンの挙動を補正するためのキャリブレーションが個別に行われる。
【０１４７】
［第２の実施の形態］
次に、本発明を適用した第２の実施の形態について説明する。
第２の実施の形態における印刷システムは、第１の実施の形態に示した印刷システム１００と同様の構成であるため、図１〜図４を援用し、その構成については図示及び説明を省略する。以下、第２の実施の形態に特徴的な構成及び処理について説明する。
【０１４８】
プロファイラ２において実行されるプロファイル作成処理（図５参照）、印刷指示端末３ａ，３ｂ，３ｃにおいて実行される色変換設定処理（図９参照）、コントローラ５ａ，５ｂにおいて実行される色変換実行処理（図１１及び図１２参照）についても、第１の実施の形態と同様であるため、説明を省略する。
【０１４９】
第２の実施の形態における印刷システムでは、プロファイラ２において作成される色変換プロファイル２３２が構造化文書ファイルである点が、第１の実施の形態における印刷システム１００とは異なる。ここでは、構造化文書ファイルとしてＸＭＬ（eXtensible Markup Language）ファイルを作成し、カラーチャート出力時の出力条件を示す出力条件情報として、カラーチャートを出力した用紙の紙種を示す紙種情報を用いる場合について説明する。
【０１５０】
図１３に、第２の実施の形態のプロファイラ２における色変換プロファイル２３２の作成手順を示す。ＣＰＵ２１は、プリンタ４ａ，４ｂの色再現特性を表すＩＣＣプロファイル１０１をテキスト化し、ＸＭＬファイル１０２内に、テキスト化されたＩＣＣプロファイルと紙種情報とを記述する。即ち、ＣＰＵ２１は、ＸＭＬファイル１０２内に紙種情報を埋め込む。
【０１５１】
図１４に、ＸＭＬファイル１０２の記述例を示す。ＸＭＬファイル１０２内のＩＣＣプロファイルを記述するためのタグ１０３には、ＩＣＣプロファイルがBase64形式等のテキスト文字列に変換されて記述される。また、ＸＭＬファイル１０２内の紙種情報を記述するためのタグ１０４には、紙種情報がテキスト情報として「category=1,color=1,gloss=2,weight=3」と記述されている。これは、紙カテゴリが「普通紙」であり、紙色が「白色」であり、光沢が「なし」であり、斤量が「９１〜１２０」であることを示している。各要素における属性と属性コードとの対応関係は、第１の実施の形態（表１〜表４参照）と同様とする。即ち、第２の実施の形態では、ＸＭＬファイル１０２内の紙種情報を記述するためのタグ１０４に、紙種情報の各要素に対応する属性を属性コードで記述することにより、ＸＭＬファイル１０２に紙種情報を埋め込んでいる。
【０１５２】
第２の実施の形態によれば、プロファイラ２において、ＸＭＬファイル１０２内の紙種情報を記述するためのタグ１０４にカラーチャートを出力した用紙の紙種を示す紙種情報を記述することにより、簡単にＸＭＬファイル１０２に紙種情報を埋め込むことができる。
印刷指示端末３ａ，３ｂ，３ｃにおいてフィルタリング機能を利用する場合には、ＸＭＬファイル１０２内のタグ１０４を参照して紙種情報を取得することにより、フィルタ条件に合致する一又は複数のＸＭＬファイル１０２を抽出し、選択可能に表示することができる。
コントローラ５ａ，５ｂにおいてプロファイル自動選択処理を実行する場合には、ＸＭＬファイル１０２内のタグ１０４を参照して紙種情報を取得することにより、印刷時の紙種に適したＸＭＬファイル１０２を選択することができる。
【０１５３】
［第３の実施の形態］
次に、本発明を適用した第３の実施の形態について説明する。
第３の実施の形態における印刷システムは、第１の実施の形態に示した印刷システム１００と同様の構成であるため、図１〜図４を援用し、その構成については図示及び説明を省略する。以下、第３の実施の形態に特徴的な構成及び処理について説明する。
【０１５４】
プロファイラ２において実行されるプロファイル作成処理（図５参照）、印刷指示端末３ａ，３ｂ，３ｃにおいて実行される色変換設定処理（図９参照）、コントローラ５ａ，５ｂにおいて実行される色変換実行処理（図１１及び図１２参照）についても、第１の実施の形態と同様であるため、説明を省略する。
【０１５５】
第３の実施の形態における印刷システムでは、プロファイラ２において作成される色変換プロファイル２３２のファイル名に出力条件情報が含まれるという点が、第１の実施の形態における印刷システム１００とは異なる。ここでは、カラーチャート出力時の出力条件を示す出力条件情報として、カラーチャートを出力した用紙の紙種を示す紙種情報を用いる場合について説明する。
【０１５６】
プロファイラ２のＣＰＵ２１は、色変換プロファイル２３２のファイル名に紙種情報を含ませることにより、色変換プロファイル２３２に紙種情報を埋め込む。例えば、ＣＰＵ２１は、色変換プロファイル２３２のファイル名を「***_category1_color1_gloss2_weight3.icc」と名付ける。これは、紙カテゴリが「普通紙」であり、紙色が「白色」であり、光沢が「なし」であり、斤量が「９１〜１２０」であることを示している。各要素における属性と属性コードとの対応関係は、第１の実施の形態（表１〜表４参照）と同様とする。ファイル名のうち、「***」の部分は、ユーザが指定した名称である。即ち、第３の実施の形態では、色変換プロファイル２３２のファイル名に、紙種情報の各要素に対応する属性を示す属性コードを含ませることにより、色変換プロファイル２３２に紙種情報を埋め込んでいる。
【０１５７】
第３の実施の形態によれば、プロファイラ２において、色変換プロファイル２３２のファイル名にカラーチャートを出力した用紙の紙種を示す紙種情報を含ませることにより、簡単に色変換プロファイル２３２に紙種情報を埋め込むことができる。
印刷指示端末３ａ，３ｂ，３ｃにおいてフィルタリング機能を用いる場合には、デスティネーションプロファイル５３３（色変換プロファイル２３２）のファイル名を参照して紙種情報を取得することにより、フィルタ条件に合致する一又は複数のデスティネーションプロファイル５３３を抽出し、選択可能に表示することができる。
コントローラ５ａ，５ｂにおいてプロファイル自動選択処理を実行する場合には、デスティネーションプロファイル５３３（色変換プロファイル２３２）のファイル名を参照して紙種情報を取得することにより、印刷時の紙種に適したデスティネーションプロファイル５３３を選択することができる。
【０１５８】
なお、上記各実施の形態における記述は、本発明に係る情報処理装置の例であり、これに限定されるものではない。情報処理装置を構成する各部の細部構成及び細部動作に関しても本発明の趣旨を逸脱することのない範囲で適宜変更可能である。
【０１５９】
例えば、上記各実施の形態では、カラーチャート出力時の出力条件を示す出力条件情報としてカラーチャートを出力した用紙の紙種を示す紙種情報を用い、印刷時の出力条件を示す出力条件情報として印刷対象用紙の紙種を示す紙種情報を用いた場合を中心に説明したが、カラーチャート出力時の出力条件を示す出力条件情報及び印刷時の出力条件を示す出力条件情報は、色再現に影響する情報であれば、スクリーニング処理におけるスクリーン種、プリンタ４ａ，４ｂの固体識別番号、温度・湿度等、他の情報を用いてもよい。
【０１６０】
以上の説明では、各処理を実行するためのプログラムを格納したコンピュータ読み取り可能な媒体として不揮発性の半導体メモリやハードディスク等の記憶装置を使用した例を開示したが、この例に限定されない。その他のコンピュータ読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１６１】
１  測色器
２  プロファイラ
３ａ，３ｂ，３ｃ  印刷指示端末
４ａ，４ｂ  プリンタ
５ａ，５ｂ  コントローラ
２１  ＣＰＵ
２２  ＲＡＭ
２３  記憶部
２４  操作部
２５  表示部
２６  通信部
２７  測色器ＩＦ部
２８  バス
３１  ＣＰＵ
３２  ＲＡＭ
３３  記憶部
３４  操作部
３５  表示部
３６  通信部
３７  バス
５１  ＣＰＵ
５２  ＲＡＭ
５３  記憶部
５４  操作部
５５  表示部
５６  通信部
５７  プリンタＩＦ部
５８  バス
６１  プリンタ名表示領域
６２  プロファイル名設定領域
６３  トレイ設定領域
６４  用紙サイズ設定領域
６５  紙カテゴリ設定領域
６６  斤量設定領域
６７  光沢設定領域
６８  紙色設定領域
６９  トレイ情報取得ボタン
７１  開始ボタン
７２  測色結果表示領域
７３  保存ボタン
８０  ＩＣＣプロファイル
８１  プロファイルヘッダ
８２  タグテーブル
８３  タグ化された要素データ
８４  プライベートタグ
９１  ソースプロファイル設定領域
９２  デスティネーションプロファイル設定領域
９３  ＲＧＢプロファイル設定領域
９４  ＣＭＹＫプロファイル設定領域
９５  プロファイル自動設定ボタン
９６  プロファイル手動設定ボタン
９７  フィルタリング設定領域
９８  ＣＭＹＫプロファイル設定領域
１００  印刷システム
１０１  ＩＣＣプロファイル
１０２  ＸＭＬファイル
１０３  タグ
１０４  タグ
２３１  プロファイル作成プログラム
２３２  色変換プロファイル
２５１  紙種情報設定画面
２５２  カラーチャート測色画面
３３１  プリンタドライバプログラム
３５１  色変換設定画面
５３１  プリンタコントローラプログラム
５３２  ソースプロファイル
５３３  デスティネーションプロファイル
Ｎ  通信ネットワーク
【図１】
2011223620.tif 000009
【図２】
2011223620.tif 000010
【図３】
2011223620.tif 000011
【図４】
2011223620.tif 000012
【図５】
2011223620.tif 000013
【図６】
2011223620.tif 000014
【図７】
2011223620.tif 000015
【図８】
2011223620.tif 000016
【図９】
2011223620.tif 000017
【図１０】
2011223620.tif 000018
【図１１】
2011223620.tif 000019
【図１２】
2011223620.tif 000020
【図１３】
2011223620.tif 000021
【図１４】
2011223620.tif 000022